(57)【要約】【課題】  本発明は、ＣＣＴＶにおける映像信号線を用いた電源及び制御信号重畳伝送システムを提供する。【解決手段】  本発明に係るシステムは、ＰｏＣカメラモジュールを備え、カメラモジュールの駆動による映像信号をＰｏＣ受信部に送出し、ＰｏＣ受信部がＰｏＣ送信部を感知できるようにするクロック信号をＰｏＣ受信部に出力するＰｏＣ送信部と；映像信号線路上に電源を印加してＰｏＣ送信部に重畳伝送し、ＰｏＣ送信部から送信された映像信号を受信して処理し、ＰｏＣ送信部のカメラモジュールを制御するための信号をＰｏＣ送信部に伝送するＰｏＣ受信部と；を含み、前記ＰｏＣ受信部は、映像信号線路上に電源を印加してＰｏＣ送信部に重畳伝送するにあたり、まず、ＰｏＣ送信部を検出する回路のみを動作させるために供給される電圧として相対的に低い電圧を伝送し、前記ＰｏＣ送信部からのクロック信号を一定時間検出した後には相対的に高い電圧を伝送する。【選択図】  図１
2020113962.tif 000002
【特許請求の範囲】
【請求項１】
ＰｏＣカメラモジュールを備え、ＰｏＣ受信部から伝送された電源重畳信号から電源信号を分離し、分離した電源信号からカメラ駆動用の電源を生成し、前記カメラモジュールの駆動による映像信号をＰｏＣ受信部に送出し、ＰｏＣ受信部がＰｏＣ送信部を感知できるようにするクロック（ｃｌｏｃｋ）信号をＰｏＣ受信部に出力するＰｏＣ送信部と；
外部から供給された電源を処理して映像信号線路上に電源を印加して前記ＰｏＣ送信部に重畳伝送し、前記ＰｏＣ送信部から送信された映像信号を受信して処理し、前記ＰｏＣ送信部のカメラモジュールを制御するための信号を前記ＰｏＣ送信部に伝送するＰｏＣ受信部と；を含み、
前記ＰｏＣ受信部は、映像信号線路上に電源を印加して前記ＰｏＣ送信部に重畳伝送するにあたり、まず、ＰｏＣ送信部を検出する回路のみを動作させるために供給される電圧として、相対的に低い電圧（Ｌｏｗ  Ｖｏｌｔａｇｅ）としての１次電圧を伝送し、前記ＰｏＣ送信部からのクロック信号を一定時間検出した後に供給される電圧として、前記１次電圧に比べて相対的に高い電圧（Ｈｉｇｈ  Ｖｏｌｔａｇｅ）としての２次電圧を伝送することを特徴とする、ＣＣＴＶにおける映像信号ラインを用いた電源及び制御信号重畳伝送システム。
【請求項２】
前記ＰｏＣ送信部は、
映像信号の歪みや損傷を最小限に抑えて、電源重畳信号から電源信号を分離するＴＲ重畳回路部と；
分離した電源信号からカメラ駆動用の電源を生成するＤＣ−ＤＣ変換回路部と；
前記ＰｏＣ受信部がＰｏＣ送信部を感知できるようにするクロック（ｃｌｏｃｋ）信号を前記ＰｏＣ受信部に出力する発振回路部と；
前記発振回路部がクロック信号を出力するようにするイネーブル（ｅｎａｂｌｅ）信号を前記発振回路部に出力する選択回路部と；を含むことを特徴とする、請求項１に記載のＣＣＴＶにおける映像信号線を用いた電源及び制御信号重畳伝送システム。
【請求項３】
前記ＰｏＣ受信部は、
映像信号線路上に電源を重畳してＰｏＣ送信部に伝送する電源出力部と；
前記ＰｏＣ送信部から受信した映像信号を処理して録画装置（ＤＶＲ）に送出する映像信号処理部と；
映像信号線路上の映像信号の状態を検出するビデオ検出部と；
前記電源出力部、映像信号処理部及びビデオ検出部を全体的に管理および制御し、前記ＰｏＣ送信部からの伝送信号を受信して信号の種類を判断し、信号の種類に基づいて対応する制御動作を実行する制御部と；を含むことを特徴とする、請求項１に記載のＣＣＴＶにおける映像信号線を用いた電源及び制御信号重畳伝送システム。
【請求項４】
前記ＰｏＣ受信部は、
前記制御部の制御動作実行に応じて、相対的に低い電圧（Ｌｏｗ  Ｖｏｌｔａｇｅ）を出力する低電圧出力部と；
低電圧出力部から出力される電圧に比べて相対的に高い電圧（Ｈｉｇｈ  Ｖｏｌｔａｇｅ）を出力する高電圧出力部と；をさらに含むことを特徴とする、請求項３に記載のＣＣＴＶにおける映像信号線を用いた電源及び制御信号重畳伝送システム。
【請求項５】
前記相対的に低い電圧（Ｌｏｗ  Ｖｏｌｔａｇｅ）は、ＤＣ６〜７Ｖの電圧であり、前記相対的に高い電圧（Ｈｉｇｈ  Ｖｏｌｔａｇｅ）は、ＤＣ３６〜４８Ｖの電圧であることを特徴とする、請求項４に記載のＣＣＴＶにおける映像信号線を用いた電源および制御信号重畳伝送システム。
【請求項６】
前記ビデオ検出部は、前記ＰｏＣ送信部からＰｏＣ受信部に入力された信号を前記制御部によって判断するとき、判断に混乱を与えるおそれのある実際の映像データが存在する可能性がある信号部分を、予め設定された電圧レベルに基づいて切り取り、ローパスフィルタ（Ｌｏｗ  Ｐａｓｓ  Ｆｉｌｔｅｒ：ＬＰＦ）を用いて高周波信号をフィルタリングした後、信号を前記制御部に伝達するように構成されたことを特徴とする、請求項３に記載のＣＣＴＶにおける映像信号線を用いた電源及び制御信号重畳伝送システム。
【請求項７】
前記制御部が前記ＰｏＣ送信部からの伝送信号を受信して判断する前記信号の種類としては、ＰｏＣ送信部接続状態信号、カメラ直接接続状態信号、信号無入力または異常状態信号を含むことを特徴とする、請求項３に記載のＣＣＴＶにおける映像信号ラインを用いた電源及び制御信号重畳伝送システム。
【請求項８】
前記制御部が前記ＰｏＣ送信部からの伝送信号を受信して判断した信号の種類がＰｏＣ送信部接続状態信号である場合には、前記制御部は、電源重畳モードを低電圧（Ｌｏｗ  Ｖｏｌｔａｇｅ）モードから高電圧（Ｈｉｇｈ  Ｖｏｌｔａｇｅ）モードに切り替えて、高電圧が前記ＰｏＣ送信部に供給されるように構成されたことを特徴とする、請求項７に記載のＣＣＴＶにおける映像信号線を用いた電源及び制御信号重畳伝送システム。
【請求項９】
前記制御部が前記ＰｏＣ送信部からの伝送信号を受信して判断した信号の種類がカメラ直接接続状態信号である場合には、前記制御部は、カメラ装置に損傷を与えない低電圧モードを維持した状態で動作を維持するように構成されたことを特徴とする、請求項７に記載のＣＣＴＶにおける映像信号線を用いた電源及び制御信号重畳伝送システム。
【請求項１０】
前記制御部が前記ＰｏＣ送信部からの伝送信号を受信して判断した信号の種類が信号無入力または異常状態信号である場合には、前記制御部は、低電圧モードを維持した状態で入力信号感知のためのルーチンを繰り返し行うように構成されたことを特徴とする、請求項７に記載のＣＣＴＶにおける映像信号線を用いた電源及び制御信号重畳伝送システム。
【請求項１１】
前記制御部は、前記ＰｏＣ送信部がカメラ用電源を供給している状態である高電圧モードでは、入力信号を継続的に監視して、映像信号が持続しているかどうかを判断し、映像信号が消える映像損失（Ｖｉｄｅｏ  Ｌｏｓｓ）状態になると、低電圧モードに切り替えて、入力信号感知のためのルーチンに復帰して動作を行うように構成されたことを特徴とする、請求項３に記載のＣＣＴＶにおける映像信号線を用いた電源及び制御信号重畳伝送システム。
【請求項１２】
前記ＰｏＣ受信部は、前記ＰｏＣ送信部がＰｏＣ対応カメラではない一般的なカメラに直接接続されたと判断した場合には、映像信号線路上の過電圧によるカメラの損傷が発生しないように、低電圧モードを維持した状態で動作を継続し、この状態で前記制御部に入力される映像信号の持続有無を監視するように構成されたことを特徴とする、請求項３に記載のＣＣＴＶにおける映像信号線を用いた電源及び制御信号重畳伝送システム。
【請求項１３】
前記映像信号の持続有無を監視する間に映像信号の損失状態であると判断されると、前記制御部は、入力信号感知のためのルーチンに復帰して動作を行うように構成されたことを特徴とする、請求項１２に記載のＣＣＴＶにおける映像信号線を用いた電源及び制御信号重畳伝送システム。
【請求項１４】
前記ＰｏＣ受信部は、ＵＴＣ（Ｕｐ  Ｔｈｅ  Ｃｏａｘ）通信を利用する場合には、前記ＰｏＣ送信部から入力された映像信号が受動素子だけを介して録画装置（ＤＶＲ）側に直接伝達される経路を使用し、前記ＵＴＣ通信を利用しない場合には、入力された映像信号が増幅器またはバッファを通過して録画装置（ＤＶＲ）側に伝達される経路を使用するように構成されたことを特徴とする、請求項１に記載のＣＣＴＶにおける映像信号線を用いた電源及び制御信号重畳伝送システム。
【発明の詳細な説明】
【技術分野】
【０００１】
本発明は、ＣＣＴＶにおける映像信号線を用いた電源及び制御信号重畳伝送システムに係り、より詳細には、別途の電源線路や制御信号線路を設けることなく、映像信号線路だけを用いて電源と制御信号とを重畳して伝送することにより、ＣＣＴＶ設置及びカメラ設定などに伴う困難さとコストを減らすことができる、ＣＣＴＶにおける映像信号線を用いた電源及び制御信号重畳伝送システムに関する。
【背景技術】
【０００２】
閉鎖回路テレビ（Ｃｌｏｓｅｄ  Ｃｉｒｃｕｉｔ  Ｔｅｌｅｖｉｓｉｏｎ：ＣＣＴＶ）におけるＰｏＣ（Ｐｏｗｅｒ  ｏｖｅｒ  Ｃｏａｘ）技術とは、遠隔地のカメラ及び蓄積装置に1本の同軸ケーブルを介して電源と映像及びカメラ制御信号を伝送する技術をいう。
【０００３】
ＰｏＣ非対応の環境では、遠隔地のカメラを操作するためには、映像用線路と電源用線路とが別々に必要である。また、カメラが設けられる環境に応じて、電源線路を増設するには多くの難しさが伴い、場合によっては、既に設けられたカメラに設定変更及び位置調整（ＰＴＺ）等の制御を必要とする。
【０００４】
ＣＣＴＶ設置場所では、ユーザ及び設置者の不注意や誤りなどによりＰｏＣで構成された環境でＰｏＣ非対応の一般的なカメラを装着または接続するか、既に設けられた一般的なカメラ（ＰｏＣ非対応カメラ）を接続する場合がある。このような場合、ＰｏＣ電圧によってカメラ又は内蔵された部品が損傷を受けたり、ひどい場合は火災も発生したりする。
【０００５】
上記のようなリスクを回避するため、通常、ＰｏＣ送信部／受信部を利用する製品を使用する場合は、必ず送信部／受信部のセットを合わせて設置及び使用し、そうでない場合は、ＰｏＣ映像受信部（電源重畳印加部）からＰｏＣ映像送信部（ＰｏＣ電源分離部）への接続有無を感知し判断して、映像伝送線路上に電源を印加するかどうかを決定する方法を使用する。
【０００６】
一方、韓国登録特許公報第１０−０９５０７４１号（特許文献１）には、「安定した電源供給が可能な電源重畳映像伝送システム」が開示されている。前記安定した電源供給が可能な電源重畳映像伝送システムは、電源信号、映像信号及び制御信号を重畳させて一つの伝送線路を介して伝送する同軸ケーブルと；前記同軸ケーブルを介してカメラの動作をリモートで制御し、撮影された映像信号を受信し、電源信号を同軸ケーブルを介して伝送する電源送信部と；電源信号を受け取り、前記カメラに提供し、カメラから撮影された映像信号を前記同軸ケーブルを介して前記電源送信部に伝達する信号送信部と；を備えた重畳映像伝送システムにおいて、前記電源送信部は、信号送信部に周期的に予備電源を伝送し、伝送された予備電源によるＥＣＨＯ信号が返された場合にのみ、主電源信号を伝送してカメラを駆動させ、駆動されたカメラの映像信号を前記同軸ケーブルを介して主電源信号と重畳させて伝送し、前記信号送信部は、予備電源が入力される場合、約束されたＥＣＨＯ信号を前記同軸ケーブルを介して電源送信部に返すことを特徴とする。
【０００７】
かかる特許文献１の場合、伝送線路上で発生する可能性がある、ＶＰ（電源重畳映像伝送）システムにおける様々な故障の原因に効果的に対応できるように線路の状態を検出することができるという利点を有するかもしれない。しかしながら、ＣＣＴＶシステムにおいてＰｏＣ対応カメラ又はＰｏＣ非対応カメラを使用する際に必要な対応策を提示していないため、ＣＣＴＶシステムにおいてＰｏＣ対応カメラ又はＰｏＣ非対応カメラなどが使用される場合には、適用しにくいという問題を有する。
【先行技術文献】
【特許文献】
【０００８】
【特許文献１】韓国登録特許公報第１０−０９５０７４１号公報（２０１０．０４．０５．公告）
【発明の概要】
【発明が解決しようとする課題】
【０００９】
本発明は、上記の事情に鑑みて創出されたもので、その目的は、別途の電源線路や制御信号線路を設けることなく、映像信号線路だけを用いて電源と制御信号とを重畳して伝送することにより、ＣＣＴＶ設置及びカメラ設定などに伴う難しさとコストを低減することができる、ＣＣＴＶにおける映像信号線を用いた電源及び制御信号重畳伝送システムを提供することにある。
【００１０】
本発明の他の目的は、ＰｏＣで構成された環境においてＰｏＣ非対応カメラを接続する場合には、低電圧モードを維持した状態で動作を持続させることにより、カメラ或いは内蔵された部品の損傷又は火災発生を防止することができる、ＣＣＴＶにおける映像信号線を用いた電源及び制御信号重畳伝送システムを提供することにある。
【課題を解決するための手段】
【００１１】
上記目的を達成するために、本発明に係るＣＣＴＶにおける映像信号線を用いた電源及び制御信号重畳伝送システムは、
ＰｏＣカメラモジュールを備え、ＰｏＣ受信部から伝送された電源重畳信号から電源信号を分離し、分離した電源信号からカメラ駆動用の電源を生成し、前記カメラモジュールの駆動による映像信号をＰｏＣ受信部に送出し、ＰｏＣ受信部がＰｏＣ送信部を感知できるようにするクロック（ｃｌｏｃｋ）信号をＰｏＣ受信部に出力するＰｏＣ送信部と；
外部から供給された電源を処理して映像信号線路上に電源を印加して前記ＰｏＣ送信部に重畳伝送し、前記ＰｏＣ送信部から送信された映像信号を受信して処理し、前記ＰｏＣ送信部のカメラモジュールを制御するための信号を前記ＰｏＣ送信部に伝送するＰｏＣ受信部と；を含み、
前記ＰｏＣ受信部は、映像信号線路上に電源を印加して前記ＰｏＣ送信部に重畳伝送するにあたり、まず、ＰｏＣ送信部を検出する回路のみを動作させるために供給される電圧として、相対的に低い電圧（Ｌｏｗ  Ｖｏｌｔａｇｅ）としての１次電圧を伝送し、前記ＰｏＣ送信部からのクロック信号を一定時間検出した後に供給される電圧として、前記１次電圧に比べて相対的に高い電圧（Ｈｉｇｈ  Ｖｏｌｔａｇｅ）としての２次電圧を伝送することを特徴とする。
【００１２】
ここで、前記ＰｏＣ送信部は、映像信号の歪みや損傷を最小限に抑えて、電源重畳信号から電源信号を分離するＴＲ重畳回路部と；分離した電源信号からカメラ駆動用の電源（例えば、＋１２ＶＤＣ）を生成するＤＣ−ＤＣ変換回路部と；前記ＰｏＣ受信部がＰｏＣ送信部を感知できるようにするクロック（ｃｌｏｃｋ）信号を前記ＰｏＣ受信部に出力する発振回路部と；前記発振回路部がクロック信号を出力するようにするイネーブル（ｅｎａｂｌｅ）信号を前記発振回路部に出力する選択回路部と；を含んで構成されてもよい。
【００１３】
また、前記ＰｏＣ受信部は、映像信号線路上に電源を重畳してＰｏＣ送信部に伝送する電源出力部と；ＰｏＣ送信部から受信した映像信号を処理して録画装置（ＤＶＲ）に送出する映像信号処理部と；映像信号線路上の映像信号の状態を検出するビデオ検出部と；前記電源出力部、映像信号処理部及びビデオ検出部を全体的に管理および制御し、前記ＰｏＣ送信部からの伝送信号を受信して信号の種類を判断し、信号の種類に基づいて対応する制御動作を実行する制御部と；を含んで構成されてもよい。
【００１４】
また、前記ＰｏＣ受信部は、前記制御部の制御動作実行に応じて、相対的に低い電圧（Ｌｏｗ  Ｖｏｌｔａｇｅ）を出力する低電圧出力部と；低電圧出力部から出力される電圧に比べて相対的に高い電圧（Ｈｉｇｈ  Ｖｏｌｔａｇｅ）を出力する高電圧出力部と；をさらに含んでいてもよい。
【００１５】
このとき、前記相対的に低い電圧（Ｌｏｗ  Ｖｏｌｔａｇｅ）は、ＤＣ６〜７Ｖの電圧であってもよく、前記相対的に高い電圧（Ｈｉｇｈ  Ｖｏｌｔａｇｅ）は、ＤＣ３６〜４８Ｖの電圧であってもよい。
【００１６】
また、前記ビデオ検出部は、前記ＰｏＣ送信部からＰｏＣ受信部に入力された信号を前記制御部によって判断するとき、判断に混乱を与えるおそれがある実際の映像データが存在する可能性がある信号部分を、予め設定された電圧レベルに基づいて切り取り、ローパスフィルタ（Ｌｏｗ  Ｐａｓｓ  Ｆｉｌｔｅｒ：ＬＰＦ）を用いて高周波信号をフィルタリングした後、信号を前記制御部に伝達するように構成されてもよい。
【００１７】
また、前記制御部が前記ＰｏＣ送信部からの伝送信号を受信して判断する前記信号の種類としては、ＰｏＣ送信部接続状態信号、カメラ直接接続状態信号、信号無入力または異常状態信号を含んでいてもよい。
【００１８】
このとき、前記制御部が前記ＰｏＣ送信部からの伝送信号を受信して判断した信号の種類がＰｏＣ送信部接続状態信号である場合には、前記制御部は、電源重畳モードを低電圧（Ｌｏｗ  Ｖｏｌｔａｇｅ）モードから高電圧（Ｈｉｇｈ  Ｖｏｌｔａｇｅ）モードに切り替えて、高電圧が前記ＰｏＣ送信部に供給されるように構成されてもよい。
【００１９】
また、前記制御部が前記ＰｏＣ送信部からの伝送信号を受信して判断した信号の種類がカメラ直接接続状態信号である場合には、前記制御部は、カメラ装置に損傷を与えない低電圧モードを維持した状態で動作を維持するように構成されてもよい。
【００２０】
また、前記制御部が前記ＰｏＣ送信部からの伝送信号を受信して判断した信号の種類が信号無入力または異常状態信号である場合には、前記制御部は、低電圧モードを維持した状態で入力信号感知のためのルーチンを繰り返し行うように構成されてもよい。
【００２１】
また、前記制御部は、ＰｏＣ送信部がカメラ用電源を供給している状態である高電圧モードでは、入力信号を継続的に監視して、映像信号が持続しているかどうかを判断し、映像信号が消える映像損失（Ｖｉｄｅｏ  Ｌｏｓｓ）状態になると、低電圧モードに切り替えて、入力信号感知のためのルーチンに復帰して動作を行うように構成されてもよい。
【００２２】
また、前記ＰｏＣ受信部は、ＰｏＣ送信部がＰｏＣ対応カメラではない一般的なカメラに直接接続されたと判断した場合には、映像信号線路上の過電圧によるカメラの損傷が発生しないように、低電圧モードを維持した状態で動作を継続し、この状態で前記制御部に入力される映像信号の持続有無を監視するように構成されてもよい。
【００２３】
このとき、前記映像信号の持続有無を監視する間に映像信号の損失状態であると判断されると、前記制御部は、入力信号感知のためのルーチンに復帰して動作を行うように構成されてもよい。
【００２４】
また、前記ＰｏＣ受信部は、ＵＴＣ（Ｕｐ  Ｔｈｅ  Ｃｏａｘ）通信を利用する場合には、ＰｏＣ送信部から入力された映像信号が受動素子だけを介して録画装置（ＤＶＲ）側に直接伝達される経路を使用し、前記ＵＴＣ通信を利用しない場合には、入力された映像信号が増幅器またはバッファを通過して録画装置（ＤＶＲ）側に伝達される経路を使用するように構成されてもよい。
【発明の効果】
【００２５】
このような本発明によれば、別途の電源線路や制御信号線路を設けることなく、映像信号線路だけを用いて電源と制御信号を重畳して伝送することにより、ＣＣＴＶ設置及びカメラ設定などに伴う難しさとコストを低減することができるという利点がある。
【図面の簡単な説明】
【００２６】
【図１】本発明に係るＣＣＴＶにおける映像信号線を用いた電源及び制御信号重畳伝送システムを適用したＣＣＴＶシステムの全体的な構成を概略的に示す図である。
【図２】本発明の実施形態に係るＣＣＴＶにおける映像信号線を用いた電源及び制御信号重畳伝送システムのＰｏＣ送信部の構成を概略的に示す図である。
【図３】本発明の実施形態に係るＣＣＴＶにおける映像信号線を用いた電源及び制御信号重畳伝送システムのＰｏＣ受信部の構成を概略的に示す図である。
【図４】発振回路部でＰｏＣカメラ感知用信号を発生するメカニズムを図式的に示す図である。
【図５】本発明に係るＣＣＴＶにおける映像信号線を用いた電源及び制御信号重畳伝送システムでのＰｏＣ受信部の高電圧動作モードを示す図である。
【図６】本発明に係るＣＣＴＶにおける映像信号線を用いた電源及び制御信号重畳伝送システムでのＰｏＣ受信部の低電圧動作モードを示す図である。
【図７】本発明に係るＣＣＴＶにおける映像信号線を用いた電源及び制御信号重畳伝送システムにおいて、ＰｏＣ非対応カメラ接続時におけるＰｏＣ受信部の低電圧動作モードを示す図である。
【図８】ＰｏＣ受信部側の映像信号の流れ経路としてのＵＴＣ経路及び増幅器経路を示す図である。
【発明を実施するための形態】
【００２７】
以下、添付図面を参照して本発明の実施形態について詳細に説明する。
【００２８】
図１は、本発明に係るＣＣＴＶにおける映像信号線を用いた電源及び制御信号重畳伝送システムを適用したＣＣＴＶシステムの全体的な構成を概略的に示す図である。
【００２９】
図１を参照すると、ＣＣＴＶシステム１００は、ＰｏＣ送信部１１０、ＰｏＣ受信部１２０およびＤＶＲ（Ｄｉｇｉｔａｌ  Ｖｉｄｅｏ  Ｒｅｃｏｒｄｅｒ、 録画装置）１３０を含んで構成されてもよい。図１に示すように、ＰｏＣ送信部１１０とＰｏＣ受信部１２０との間では１つのチャネル（映像信号線路）を介して映像信号と制御信号及び電源が送受信され、ＰｏＣ受信部１２０とＤＶＲ（録画装置）１３０との間では１つのチャネル（映像信号線路）を介して映像信号及び制御信号が送受信される。ここで、ＰｏＣ送信部１１０及びＰｏＣ受信部１２０については、後で詳細に説明する。
【００３０】
本発明は、ＣＣＴＶカメラの物理的な（ハードウェア的な）設置およびソフトウェア的な設定を容易に行い、ＣＣＴＶ設置及び設定にかかる物理的、時間的コストを削減し、使用上の利便性を向上させることを技術的課題とし、そのためにＰｏＣを用いた電源重畳伝送技術と、ＵＴＣ（Ｕｐ  Ｔｈｅ  Ｃｏａｘ）を用いた制御信号重畳伝送技術とが導入される。すなわち、別途の電源線路や制御信号線路を設けることなく、映像信号線路だけを用いて電源を伝送し（ＰｏＣ）、制御信号を伝送する（ＵＴＣ）ことにより、ＣＣＴＶ設置場所における作業の難しさとコストの問題を解消しようとするものである。
【００３１】
それでは、以下では以上のような本発明について詳細に説明する。
【００３２】
図２は、本発明の実施形態に係るＣＣＴＶにおける映像信号線を用いた電源及び制御信号重畳伝送システムのＰｏＣ送信部の構成を概略的に示す図であり、図３は、本発明の実施形態に係るＣＣＴＶにおける映像信号線を用いた電源及び制御信号重畳伝送システムのＰｏＣ受信部の構成を概略的に示す図である。
【００３３】
図２及び図３を参照すると、本発明に係るＣＣＴＶにおける映像信号線を用いた電源及び制御信号重畳伝送システムは、ＰｏＣ送信部１１０及びＰｏＣ受信部１２０を含んで構成されてもよい。
【００３４】
ＰｏＣ送信部１１０は、ＰｏＣカメラモジュール１１５を備え、ＰｏＣ受信部１２０から伝送された電源重畳信号から電源信号を分離し、分離した電源信号からカメラ駆動用の電源を生成し、前記カメラモジュール１１５の駆動による映像信号をＰｏＣ受信部１２０に送出し、ＰｏＣ受信部１２０がＰｏＣ送信部１１０を感知できるようにするクロック（ｃｌｏｃｋ）信号をＰｏＣ受信部１２０に出力する。
【００３５】
ＰｏＣ受信部１２０は、外部から供給された電源（例えば、ＡＣ１１０〜２２０Ｖ）を処理して映像信号線路上に電源を印加して前記ＰｏＣ送信部１１０に重畳伝送し、ＰｏＣ送信部１１０から送信された映像信号を受信して処理し、ＰｏＣ送信部１１０のカメラモジュール１１５を制御するための信号をＰｏＣ送信部１１０に伝送する。
【００３６】
以上のような構成を有する、本発明に係るＣＣＴＶにおける映像信号線を用いた電源及び制御信号重畳伝送システムでの前記ＰｏＣ受信部１２０は、映像信号線路上に電源を印加して前記ＰｏＣ送信部１１０に重畳伝送するにあたり、まず、ＰｏＣ送信部１１０を検出する回路のみを動作させるために供給される電圧として、相対的に低い電圧（Ｌｏｗ  Ｖｏｌｔａｇｅ）としての１次電圧を伝送し、前記ＰｏＣ送信部１１０からのクロック信号を一定時間（例えば、約３秒間）検出した後に供給される電圧として、前記１次電圧に比べて相対的に高い電圧（Ｈｉｇｈ  Ｖｏｌｔａｇｅ）としての２次電圧を伝送する。このとき、前記相対的に低い電圧（Ｌｏｗ  Ｖｏｌｔａｇｅ）は、ＤＣ６〜７Ｖの電圧であってもよく、前記相対的に高い電圧（Ｈｉｇｈ  Ｖｏｌｔａｇｅ）は、ＤＣ３６〜４８Ｖの電圧であってもよい。
【００３７】
前記ＰｏＣ送信部１１０は、図２に示すように、映像信号の歪みや損傷を最小限に抑えて、電源重畳信号から電源信号を分離するＴＲ重畳回路部１１１と；分離した電源信号からカメラ駆動用の電源（例えば、＋１２Ｖ  ＤＣ）を生成するＤＣ−ＤＣ変換（例えば、ＤＣ４８Ｖまたは３６ＶをＤＣ１２Ｖに変換）回路部１１２と；前記ＰｏＣ受信部１２０がＰｏＣ送信部１１０を感知できるようにするクロック（ｃｌｏｃｋ）信号を前記ＰｏＣ受信部１２０に出力する発振回路部１１４と；前記発振回路部１１４がクロック信号を出力するようにするイネーブル（ｅｎａｂｌｅ）信号を前記発振回路部１１４に出力する選択回路部１１３と；を含んで構成されてもよい。ここで、前記発振回路部１１４は、４ＭＨｚのクロックを発生する発振素子（ｏｓｃｉｌｌａｔｏｒ）と出力スイッチＩＣ回路とで構成されてもよい。ここで、また、このような発振回路部１１４でＰｏＣカメラ感知用信号を発生するメカニズムについて説明を加える。
【００３８】
図４は、発振回路部でＰｏＣカメラ感知用信号を発生するメカニズムを図式的に示す図である。
【００３９】
図４を参照すると、ＰｏＣ送信部１１０は、ＰｏＣ受信部１２０から伝送される２つの電圧を使用するが、これは、ＰｏＣをサポートしない一般的なカメラにＤＣ３６Ｖ又は４８Ｖの高電圧（以下、ＨＶという）を印加する際にカメラが焼損してしまうことを防止するためのものである。電源オン（ＯＮ）時にＰｏＣ受信部１２０からＤＣ６〜７Ｖの低電圧（以下、ＬＶという）を受けるが、この電圧は、カメラモジュール及びＩ／Ｆ回路を動作させず、「ＰｏＣ送信機」部分（図２参照）を感知する回路のみを動作させる電圧である。
【００４０】
ＬＶ信号は、「ＲＥＳＩＳＴＯＲ  ＤＩＶＩＤＥ及びＴＲ回路」（選択回路部）１１３（図２参照）を経て「ＨＩＧＨ」信号に変換され、発振回路部１１４のソース（Ｓｏｕｒｃｅ）のうちの４ＭＨｚのクロックがＰｏＣ受信部１２０に出力されるイネーブル（ｅｎａｂｌｅ）信号として使用される。ＰｏＣ受信部１２０は、この信号を約３秒間感知してＰｏＣ送信機が存在することを判断し、その後、ＰｏＣ送信部１１０は、ＨＶを受ける。ＨＶモード時、選択回路部１１３によって発振回路部１１４のソースのうちオープン（ｏｐｅｎ）された出力が選択され、映像信号に影響を与えない状態で待機することになる。同時に、ＨＶは、ＤＣ−ＤＣ変換回路部１１２を経てカメラの動作電源（ＤＣ１２Ｖ）を出力し、これによりカメラモジュール１１５が動作することにより、映像信号がＰｏＣ受信部１２０に出力される。万が一、カメラがＰｏＣ送信機のないカメラである場合では、４ＭＨｚクロックをＰｏＣ受信部１２０に伝送することができないため、ＰｏＣ受信部１２０はＨＶを出力しないようになり、このため、ＰｏＣ送信機のない（ｎｏｎｅ  ＰｏＣカメラ）を保護できるようになる。
【００４１】
すなわち、安価で簡単な発振部品及び選択回路だけをＰｏＣ送信部１１０に追加して映像信号及び制御信号に対する干渉を最小限に抑え、この信号をＰｏＣ受信部（電源送信及び映像受信部）により感知及び判断させることにより、ＰｏＣ受信部１２０が正確な動作モードとそのモードに応じた電圧レベルとを決定できるようなり、その結果、ＰｏＣ使用及び設置時に発生する可能性の大きい誤動作や破損などを防ぐことができるようになる。
【００４２】
再び図３を参照すると、前記ＰｏＣ受信部１２０は、映像信号線路上に電源を重畳してＰｏＣ送信部１１０に伝送する電源出力部１２１と；ＰｏＣ送信部１１０から受信した映像信号を処理して録画装置（ＤＶＲ）に送出する映像信号処理部１２２と；映像信号線路上の映像信号の状態を検出するビデオ検出部１２３と；前記電源出力部１２１、映像信号処理部１２２及びビデオ検出部１２３を全体的に管理および制御し、前記ＰｏＣ送信部１１０からの伝送信号を受信して信号の種類を判断し、信号の種類に基づいて対応する制御動作を実行する制御部１２４と；を含んで構成されてもよい。ここで、制御部１２４は、プログラマブルロジックデバイス（Ｐｒｏｇｒａｍｍａｂｌｅ  Ｌｏｇｉｃ  Ｄｅｖｉｃｅ：ＰＬＤ）、ＦＰＧＡ（Ｆｉｅｌｄ  Ｐｒｏｇｒａｍｍａｂｌｅ  Ｇａｔｅ  Ａｒｒａｙ）、中央処理装置（Ｃｅｎｔｒａｌ  Ｐｒｏｃｅｓｓｉｎｇ  Ｕｎｉｔ：ＣＰＵ）などで構成されてもよい。
【００４３】
ここで、以上のようなＰｏＣ受信部１２０は、前記制御部１２４の制御動作実行に応じて、相対的に低い電圧（Ｌｏｗ  Ｖｏｌｔａｇｅ）を出力する低電圧出力部１２５と；低電圧出力部１２５から出力される電圧に比べて相対的に高い電圧（Ｈｉｇｈ  Ｖｏｌｔａｇｅ）を出力する高電圧出力部１２６と；をさらに含んでいてもよい。
【００４４】
このとき、前記相対的に低い電圧（Ｌｏｗ  Ｖｏｌｔａｇｅ）は、ＤＣ６〜７Ｖの電圧であってもよく、前記相対的に高い電圧（Ｈｉｇｈ  Ｖｏｌｔａｇｅ）は、ＤＣ３６〜４８Ｖの電圧であってもよい。
【００４５】
また、前記ビデオ検出部１２３は、前記ＰｏＣ送信部１１０からＰｏＣ受信部１２０に入力された信号を前記制御部１２４によって判断するとき、判断に混乱を与えるおそれがある実際の映像データが存在する可能性がある信号部分を、予め設定された電圧レベルに基づいて切り取り、ローパスフィルタ（Ｌｏｗ  Ｐａｓｓ  Ｆｉｌｔｅｒ：ＬＰＦ、低域通過濾波器）を用いて高周波信号をフィルタリングした後、信号を前記制御部１２４に伝送するように構成されてもよい。ここで、このような過程を経て制御部１２４に入力される信号は、４ＭＨｚの送信部の判断信号と、映像の同期信号（例えば、２５ＫＨｚ〜３５ＫＨｚの周波数特性を有する信号）と、無変化またはランダム信号とに分類できる。
【００４６】
また、前記制御部１２４が前記ＰｏＣ送信部１１０からの伝送信号を受信して判断する信号の種類としては、ＰｏＣ送信部接続状態信号、カメラ直接接続状態信号、信号無入力または異常状態信号を含んでいてもよい。
【００４７】
このとき、前記制御部１２４が前記ＰｏＣ送信部１１０からの伝送信号を受信して判断した信号の種類がＰｏＣ送信部接続状態信号（すなわち、４ＭＨｚの送信部判断信号）である場合には、図５に示すように、前記制御部１２４は、電源重畳モードを低電圧（Ｌｏｗ  Ｖｏｌｔａｇｅ）モードから高電圧（Ｈｉｇｈ  Ｖｏｌｔａｇｅ）モードに切り替えて、伝達された電源（高電圧）が前記ＰｏＣ送信部１１０のＰｏＣ送信機を経てカメラ用電源（ＤＣ１２Ｖ）に変換されて供給されるように構成されてもよい。
【００４８】
また、前記制御部１２４が前記ＰｏＣ送信部１１０からの伝送信号を受信して判断した信号の種類がカメラ直接接続状態信号（すなわち、カメラから出てくる映像同期信号）である場合には、図６に示すように、前記制御部１２４は、カメラ装置に損傷を与えない低電圧モードを維持した状態で動作を維持するように構成されてもよい。
【００４９】
また、前記制御部１２４が前記ＰｏＣ送信部１１０からの伝送信号を受信して判断した信号の種類が信号無入力または異常状態信号（すなわち、無変化またはランダム信号）である場合には、前記のカメラ直接接続状態信号（カメラから出てくる映像同期信号）である場合と同様に、前記制御部１２４は、低電圧モードを維持した状態で入力信号感知のためのルーチンを繰り返し行うように構成されてもよい。
【００５０】
また、前記制御部１２４は、ＰｏＣ送信部１１０がカメラ用電源を供給している状態である高電圧モード（図５参照）では、入力信号を継続的に監視して、映像信号が持続しているかどうかを判断し、映像信号が消える映像損失（Ｖｉｄｅｏ  Ｌｏｓｓ）状態になると、低電圧モード（図６参照）に切り替えて入力信号感知のためのルーチンに復帰して動作を行うように構成されてもよい。
【００５１】
一方、前記ＰｏＣ受信部１２０は、ＰｏＣ送信部１１０がＰｏＣ対応カメラではない一般的なカメラ（ｎｏｎｅ  ＰｏＣ）に直接接続されたと判断した場合（すなわち、低電圧モードで映像信号が検出された場合）には、映像信号線路上の過電圧によるカメラの損傷が発生しないように、図７に示すように、低電圧モードを維持した状態で動作を継続し、この状態においても高電圧モード時と同様に、前記制御部１２４に入力される映像信号の持続有無を監視するように構成されてもよい。このとき、前記映像信号の持続有無を監視する間に映像信号の損失状態であると判断されると、前記制御部１２４は、入力信号の感知ためのルーチンに復帰して動作を行うように構成されてもよい。
【００５２】
また、前記ＰｏＣ受信部１２０は、図８に示すように、ＵＴＣ（Ｕｐ  Ｔｈｅ  Ｃｏａｘ）通信を利用する場合には、ＰｏＣ送信部１１０から入力された映像信号が受動素子だけを介して録画装置（ＤＶＲ）側に直接伝達される経路を使用し、前記ＵＴＣ通信を利用しない場合（通常の場合）には、入力された映像信号が増幅器またはバッファを通過して録画装置（ＤＶＲ）側に伝達される経路（赤色経路）を使用するように構成されてもよい。ここで、このような経路使用に関連してさらに説明を加える。
【００５３】
アナログ映像信号が長距離にわたって接続されている場合には、線路上の特性により、映像の歪みや劣化が発生する問題がある。このような場合、通常は、映像送信部側に信号増幅回路やバッファおよびフィルタ回路等を接続して特性を改善する方法をとっている。しかし、アナログバッファや増幅器回路の構成の特性上、このような場合は、カメラ側から映像受信機に向かって単方向の信号伝達のみが可能である。すると、逆方向（映像受信機→カメラ）に伝達されるべきカメラ制御信号（ＵＴＣ信号）の伝送が不可能であるため、映像受信機側からカメラをリモートで制御及び操作することができなくなる。すなわち、映像信号の改善のための方法を選択することにより、重要な一つの機能（カメラ制御信号伝送機能）を捨てなければならない結果になる。
【００５４】
本発明では、かかる問題を解決するために、ＰｏＣ受信部側の映像の流れ経路を「増幅器あるいはバッファを通過する経路」と「入力映像信号が受動素子だけを介して出力側（録画装置（ＤＶＲ））に直接伝達される経路」とに二元化し、必要に応じて選択的に使用できるようにする方式を導入した。
【００５５】
つまり、カメラ制御ＵＴＣ通信を利用する場合には、「入力映像信号が受動素子だけを介して出力側に直接伝達される経路」の利用を図り、そうでない場合には、「増幅器あるいはバッファを通過する経路」の利用を図る方式である。
【００５６】
通常、カメラ制御（ＵＴＣ通信）は、カメラ設置およびメンテナンス時にのみ一時的に使用されるものであるため、この場合を除いては、「増幅器あるいはバッファを通過する経路」の利用を図ることにより、二つのニーズ（すなわち、ＰｏＣ受信部側における映像信号受信及びＰｏＣ送信部へのカメラ制御信号送信）を満足させる方式をとるのである。
【００５７】
このとき、以上のような経路の選択方式としては、制御部１２４がユーザの物理的なスイッチ操作を感知して経路を選択する手動方式と、制御部１２４が映像受信装置と通信して、必要な場合に自動的に経路を選択して切り替える自動方式とが挙げられる。
【００５８】
以上説明したように、本発明に係るＣＣＴＶにおける映像信号線を用いた電源及び制御信号重畳伝送システムは、別途の電源線路や制御信号線路を設けることなく、映像信号線路だけを用いて電源と制御信号とを重畳して送信することにより、ＣＣＴＶ設置及びカメラ設定などに伴う難しさとコストを低減することができるという利点がある。
【００５９】
また、ＰｏＣで構成された環境でＰｏＣ非対応カメラを接続する場合には、低電圧モードを維持した状態で動作を行い続けることにより、カメラあるいは内蔵部品の損傷または火災発生を防止することができるという利点がある。
【００６０】
以上、好ましい実施形態を挙げて本発明について詳細に説明したが、本発明はその実施形態に限定されるものでなく、本発明の技術的思想を逸脱しない範囲内で種々の変更・応用が可能であることは、当技術分野における通常の技術者にとって自明である。よって、本発明の真の保護範囲は、特許請求の範囲によってのみ決まるものであり、これと同等の範囲内にある全ての技術的思想は、本発明の権利範囲に含まれるものと解釈されるべきである。
【符号の説明】
【００６１】
１１０  ＰｏＣ送信部
１１１  ＴＲ重畳回路部
１１２  ＤＣ−ＤＣ変換回路部
１１３  選択回路部
１１４  発振回路部
１１５  ＰｏＣカメラモジュール
１２０  ＰｏＣ受信部
１２１  電源出力部
１２３  ビデオ検出部
１２４  制御部
１２５  低電圧出力部
１２６  高電圧出力部
１３０  ＤＶＲ
【図１】
2020113962.tif 000003
【図２】
2020113962.tif 000004
【図３】
2020113962.tif 000005
【図４】
2020113962.tif 000006
【図５】
2020113962.tif 000007
【図６】
2020113962.tif 000008
【図７】
2020113962.tif 000009
【図８】
2020113962.tif 000010
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
ＰｏＣカメラモジュールを備え、ＰｏＣ受信部から伝送された電源重畳信号から電源信号を分離し、分離した電源信号からカメラ駆動用の電源を生成し、前記カメラモジュールの駆動による映像信号を前記ＰｏＣ受信部に送出し、前記ＰｏＣ受信部がＰｏＣ送信部を感知できるようにするクロック（ｃｌｏｃｋ）信号を前記ＰｏＣ受信部に出力するＰｏＣ送信部と；
外部から供給された電源を処理して映像信号線路上に電源を印加して前記ＰｏＣ送信部に重畳伝送し、前記ＰｏＣ送信部から送信された映像信号を受信して処理し、前記ＰｏＣ送信部の前記カメラモジュールを制御するための信号を前記ＰｏＣ送信部に伝送するＰｏＣ受信部と；を含み、
前記ＰｏＣ受信部は、映像信号線路上に電源を印加して前記ＰｏＣ送信部に重畳伝送するにあたり、まず、ＰｏＣ送信部を検出する回路を動作させるために供給される電圧として、相対的に低い電圧（Ｌｏｗ  Ｖｏｌｔａｇｅ）としての１次電圧を伝送し、前記ＰｏＣ送信部からのクロック信号を一定時間検出した後に供給される電圧として、前記１次電圧に比べて相対的に高い電圧（Ｈｉｇｈ  Ｖｏｌｔａｇｅ）としての２次電圧を伝送し、
前記ＰｏＣ受信部は、
映像信号線路上に電源を重畳してＰｏＣ送信部に伝送する電源出力部と；
前記ＰｏＣ送信部から受信した映像信号を処理して録画装置（ＤＶＲ）に送出する映像信号処理部と；
映像信号線路上の映像信号の状態を検出するビデオ検出部と；
前記電源出力部、映像信号処理部及びビデオ検出部を全体的に管理および制御し、前記ＰｏＣ送信部からの伝送信号を受信して信号の種類を判断し、信号の種類に基づいて対応する制御動作を実行する制御部と；を含み、
前記ビデオ検出部は、前記ＰｏＣ送信部からＰｏＣ受信部に入力された信号を前記制御部によって判断するとき、判断に混乱を与えるおそれのある実際の映像データが存在する可能性がある信号部分を、予め設定された電圧レベルに基づいて切り取り、ローパスフィルタ（Ｌｏｗ  Ｐａｓｓ  Ｆｉｌｔｅｒ：ＬＰＦ）を用いて高周波信号をフィルタリングした後、信号を前記制御部に伝達するように構成されたことを特徴とする、ＣＣＴＶにおける映像信号線を用いた電源及び制御信号重畳伝送システム。
【請求項２】
前記ＰｏＣ送信部は、
映像信号の歪みや損傷を最小限に抑えて、電源重畳信号から電源信号を分離するＴＲ重畳回路部と；
分離した電源信号からカメラ駆動用の電源を生成するＤＣ−ＤＣ変換回路部と；
前記ＰｏＣ受信部が前記ＰｏＣ送信部を感知できるようにするクロック（ｃｌｏｃｋ）信号を前記ＰｏＣ受信部に出力する発振回路部と；
前記発振回路部がクロック信号を出力するようにするイネーブル（ｅｎａｂｌｅ）信号を前記発振回路部に出力する選択回路部と；を含むことを特徴とする、請求項１に記載のＣＣＴＶにおける映像信号線を用いた電源及び制御信号重畳伝送システム。
【請求項３】
前記ＰｏＣ受信部は、
前記制御部の制御動作実行に応じて、相対的に低い電圧（Ｌｏｗ  Ｖｏｌｔａｇｅ）を出力する低電圧出力部と；
低電圧出力部から出力される電圧に比べて相対的に高い電圧（Ｈｉｇｈ  Ｖｏｌｔａｇｅ）を出力する高電圧出力部と；をさらに含むことを特徴とする、請求項１に記載のＣＣＴＶにおける映像信号線を用いた電源及び制御信号重畳伝送システム。
【請求項４】
前記相対的に低い電圧（Ｌｏｗ  Ｖｏｌｔａｇｅ）は、ＤＣ６〜７Ｖの電圧であり、前記相対的に高い電圧（Ｈｉｇｈ  Ｖｏｌｔａｇｅ）は、ＤＣ３６〜４８Ｖの電圧であることを特徴とする、請求項３に記載のＣＣＴＶにおける映像信号線を用いた電源及び制御信号重畳伝送システム。
【請求項５】
前記制御部が前記ＰｏＣ送信部からの伝送信号を受信して判断する前記信号の種類としては、ＰｏＣ送信部接続状態信号、カメラ直接接続状態信号、信号無入力または異常状態信号を含むことを特徴とする、請求項１に記載のＣＣＴＶにおける映像信号線を用いた電源及び制御信号重畳伝送システム。
【請求項６】
前記制御部が前記ＰｏＣ送信部からの伝送信号を受信して判断した信号の種類がＰｏＣ送信部接続状態信号である場合には、前記制御部は、電源重畳モードを低電圧（Ｌｏｗ  Ｖｏｌｔａｇｅ）モードから高電圧（Ｈｉｇｈ  Ｖｏｌｔａｇｅ）モードに切り替えて、高電圧が前記ＰｏＣ送信部に供給されるように構成されたことを特徴とする、請求項５に記載のＣＣＴＶにおける映像信号線を用いた電源及び制御信号重畳伝送システム。
【請求項７】
前記制御部が前記ＰｏＣ送信部からの伝送信号を受信して判断した信号の種類がカメラ直接接続状態信号である場合には、前記制御部は、カメラ装置に損傷を与えない低電圧モードを維持した状態で動作を維持するように構成されたことを特徴とする、請求項５に記載のＣＣＴＶにおける映像信号線を用いた電源及び制御信号重畳伝送システム。
【請求項８】
前記制御部が前記ＰｏＣ送信部からの伝送信号を受信して判断した信号の種類が信号無入力または異常状態信号である場合には、前記制御部は、低電圧モードを維持した状態で入力信号感知のためのルーチンを繰り返し行うように構成されたことを特徴とする、請求項５に記載のＣＣＴＶにおける映像信号線を用いた電源及び制御信号重畳伝送システム。
【請求項９】
前記制御部は、前記ＰｏＣ送信部がカメラ用電源を供給している状態である高電圧モードでは、入力信号を継続的に監視して、映像信号が持続しているかどうかを判断し、映像信号が消える映像損失（Ｖｉｄｅｏ  Ｌｏｓｓ）状態になると、低電圧モードに切り替えて、入力信号感知のためのルーチンに復帰して動作を行うように構成されたことを特徴とする、請求項１に記載のＣＣＴＶにおける映像信号線を用いた電源及び制御信号重畳伝送システム。
【請求項１０】
前記ＰｏＣ受信部は、前記ＰｏＣ送信部がＰｏＣ対応カメラではない一般的なカメラに直接接続されたと判断した場合には、映像信号線路上の過電圧によるカメラの損傷が発生しないように、低電圧モードを維持した状態で動作を継続し、この状態で前記制御部に入力される映像信号の持続有無を監視するように構成されたことを特徴とする、請求項１に記載のＣＣＴＶにおける映像信号線を用いた電源及び制御信号重畳伝送システム。
【請求項１１】
前記映像信号の持続有無を監視する間に前記映像信号の損失状態であると判断されると、前記制御部は、入力信号感知のためのルーチンに復帰して動作を行うように構成されたことを特徴とする、請求項１０に記載のＣＣＴＶにおける映像信号線を用いた電源及び制御信号重畳伝送システム。
【請求項１２】
ＰｏＣカメラモジュールを備え、ＰｏＣ受信部から伝送された電源重畳信号から電源信号を分離し、分離した電源信号からカメラ駆動用の電源を生成し、前記カメラモジュールの駆動による映像信号をＰｏＣ受信部に送出し、ＰｏＣ受信部がＰｏＣ送信部を感知できるようにするクロック（ｃｌｏｃｋ）信号をＰｏＣ受信部に出力するＰｏＣ送信部と；
外部から供給された電源を処理して映像信号線路上に電源を印加して前記ＰｏＣ送信部に重畳伝送し、前記ＰｏＣ送信部から送信された映像信号を受信して処理し、前記ＰｏＣ送信部の前記カメラモジュールを制御するための信号を前記ＰｏＣ送信部に伝送するＰｏＣ受信部と；を含み、
前記ＰｏＣ受信部は、映像信号線路上に電源を印加して前記ＰｏＣ送信部に重畳伝送するにあたり、まず、前記ＰｏＣ送信部を検出する回路を動作させるために供給される電圧として、相対的に低い電圧（Ｌｏｗ  Ｖｏｌｔａｇｅ）としての１次電圧を伝送し、前記ＰｏＣ送信部からのクロック信号を一定時間検出した後に供給される電圧として、前記１次電圧に比べて相対的に高い電圧（Ｈｉｇｈ  Ｖｏｌｔａｇｅ）としての２次電圧を伝送し、
前記ＰｏＣ受信部は、ＵＴＣ（Ｕｐ  Ｔｈｅ  Ｃｏａｘ）通信を利用する場合には、前記ＰｏＣ送信部から入力された映像信号が受動素子だけを介して録画装置（ＤＶＲ）側に直接伝達される経路を使用し、前記ＵＴＣ通信を利用しない場合には、入力された映像信号が増幅器またはバッファを通過して録画装置（ＤＶＲ）側に伝達される経路を使用するように構成されたことを特徴とする、ＣＣＴＶにおける映像信号線を用いた電源及び制御信号重畳伝送システム。